(57)【要約】【課題】   本発明はプラズマディスプレイ装置及びその動方法に関するものである。【解決手段】本発明によるプラズマディスプレイ装置は、基板に複数のスキャン電極、サステイン電極、アスレス電極が配列されて放電セルが形成されたプラズマディスプレパネルと、スキャン電極、サステイン電極、アスレス電極を駆動するためのそれぞれの電極動部とを備え、複数のスキャン電極を複数個のスキャン電極グループに分けて、駆動部を制御して、複数個のスキャン電極グループの中で少なくとも何れか一つのスキャン電極グループのアドレス期間の間に、スキャンバイアス電圧と違う電圧が所定期間の間印加されることを特徴とする。【選択図】図５
2005316480.tif 000002
【特許請求の範囲】
【請求項１】
基板に複数のスキャン電極、サステイン電極、アドレス電極が配列されて放電セルが形成されたプラズマディスプレイパネルと、
前記スキャン電極、サステイン電極、アドレス電極を駆動するためのそれぞれの電極駆動部と、
前記複数のスキャン電極を複数個のスキャン電極グループで分けて、前記駆動部を制御して、前記複数個のスキャン電極グループの中で少なくとも何れか一つのスキャン電極グループのアドレス期間の間にスキャンバイアス電圧と違う電圧が所定期間の間印加されることを特徴とする、プラズマディスプレイ装置。 
【請求項２】
前記スキャンバイアス電圧と違う電圧が印加される所定期間は、前記複数個のスキャン電極グループの中でスキャンが先に成り立つ前半部スキャン電極グループでのアドレス期間の後半部であることを特徴とする、請求項１記載のプラズマディスプレイ装置。
【請求項３】
前記スキャンバイアス電圧と違う電圧は、前記スキャンバイアス電圧より小さく且つスキャンパルス電圧より大きいことを特徴とする、請求項２記載のプラズマディスプレイ装置。
【請求項４】
前記スキャンバイアス電圧と違う電圧は、グラウンドレベルであることを特徴とする、請求項３記載のプラズマディスプレイ装置。
【請求項５】
前記スキャンバイアス電圧と違う電圧が印加される所定期間は、前記複数個のスキャン電極グループの中でスキャンが後で成り立つ後半部スキャン電極グループでのアドレス期間の前半部であることを特徴とする、請求項１記載のプラズマディスプレイ装置。
【請求項６】
前記スキャンバイアス電圧と違う電圧は、前記スキャンバイアス電圧より高く且つリセット期間に印加されるランプアップパルスのピーク電圧より低いことを特徴とする、請求項５記載のプラズマディスプレイ装置。 
【請求項７】
前記スキャンバイアス電圧と違う電圧は、サステイン電圧であることを特徴とする、請求項６記載のプラズマディスプレイ装置。
【請求項８】
前記スキャンバイアス電圧と違う電圧が印加される所定期間は、前記複数個のスキャン電極グループの中でスキャンが先に成り立つ前半部スキャン電極グループの場合、前記アドレス期間の後半部であり、前記複数個のスキャン電極グループの中でスキャンが後で成り立つ後半部スキャン電極グループの場合、前記アドレス期間の前半部であることを特徴とする、請求項１記載のプラズマディスプレイ装置。
【請求項９】
前記複数個のスキャン電極グループは２個であることを特徴とする、請求項１記載のプラズマディスプレイ装置。
【請求項１０】
複数個のサーブフィールドがリセット期間、アドレス期間、サステイン期間に分けられて、それぞれの期間に複数のスキャン電極、サステイン電極、アドレス電極に信号を加えて駆動させるプラズマディスプレイ装置の駆動方法において、 
前記複数のスキャン電極を複数個のスキャン電極グループに分けて、前記複数個のスキャン電極グループの中で少なくとも何れか一つのスキャン電極グループのアドレス期間の間に、スキャンバイアス電圧と違う電圧を所定期間の間印加させることを特徴とする、プラズマディスプレイ装置の駆動方法。 
【請求項１１】
前記スキャンバイアス電圧と違う電圧が印加される所定期間は、前記複数個のスキャン電極グループの中でスキャンが先に成り立つ前半部スキャン電極グループでのアドレス期間の後半部であることを特徴とする、請求項１０記載のプラズマディスプレイ装置の駆動方法。
【請求項１２】
前記スキャンバイアス電圧と違う電圧は、前記スキャンバイアス電圧より小さく且つスキャンパルス電圧より大きいことを特徴とする、請求項１１記載のプラズマディスプレイ装置の駆動方法。
【請求項１３】
前記スキャンバイアス電圧と違う電圧は、グラウンドレベルであることを特徴とする、請求項１２記載のプラズマディスプレイ装置の駆動方法。
【請求項１４】
前記スキャンバイアス電圧と違う電圧が印加される所定期間は、前記複数個のスキャン電極グループの中でスキャンが後で成り立つ後半部スキャン電極グループでのアドレス期間の前半部であることを特徴とする、請求項１０記載のプラズマディスプレイ装置の駆動方法。
【請求項１５】
前記スキャンバイアス電圧と違う電圧は、前記スキャンバイアス電圧より高く且つリセット期間に印加されるランプアップパルスのピーク電圧より低いことを特徴とする、請求項１４記載のプラズマディスプレイ装置の駆動方法。
【請求項１６】
前記スキャンバイアス電圧と違う電圧は、サステイン電圧であることを特徴とする、請求項１５記載のプラズマディスプレイ装置の駆動方法。 
【請求項１７】
前記スキャンバイアス電圧と違う電圧が印加される所定期間は、前記複数個のスキャン電極グループの中でスキャンが後で成り立つ後半部スキャン電極グループでのアドレス期間の前半部であることを特徴とする、請求項１０記載のプラズマディスプレイ装置の駆動方法。 
【請求項１８】
前記複数個のスキャン電極グループは２個であることを特徴とする、請求項１０記載のプラズマディスプレイ装置の駆動方法。 
【請求項１９】
前記アドレス期間の時成り立つスキャン方法は、シングルスキャンであることを特徴とするプラズマディスプレイ装置の駆動方法。
【請求項２０】
基板に複数のスキャン電極、サステイン電極、アドレス電極が配列されて放電セルが形成されたプラズマディスプレイパネルを駆動する駆動装置であって、
前記複数のスキャン電極を複数個のスキャン電極グループで分けて駆動し、前記複数個のスキャン電極グループの中で少なくとも何れか一つのスキャン電極グループのアドレス期間の間に、スキャンバイアス電圧と違う電圧を所定期間の間印加することを特徴とする、駆動装置。
【発明の詳細な説明】
【技術分野】
【０００１】
本発明は、プラズマディスプレイ装置に関し、、より詳しくは、高解像度及び高温条件で安定した放電を発生させて画面を具現することができるプラズマディスプレイ装置及びその駆動方法に関する。
【背景技術】
【０００２】
一般的に、プラズマディスプレイパネル(Ｐｌａｓｍａ  Ｄｉｓｐｌａｙ  Ｐａｎｅｌ：以下”ＰＤＰ”とする)は、Ｈｅ＋Ｘｅ、Ｎｅ＋Ｘｅ又はＨｅ＋Ｎｅ＋Ｘｅ等の不活性混合ガスの放電の時に発生する１４７ｎｍの紫外線によって蛍光体を発光させることで、文字またはグラフィックを含んだ画像を表示する。 
【０００３】
図１は、従来マトリックス形態に配列された放電セル構造を持つ３電極交流面放電型ＰＤＰの構造を示す斜視図である。図１を参照すれば、３電極交流面放電型ＰＤＰ１００は、上板と下板とを備えている。上板は、上部基板１０と、上部基板１０上に形成されたスキャン電極１１ａ及びサステイン電極１２ａと、スキャン電極１１ａ及びサステイン電極１２ａを覆うように上部基板１０上に形成された上部誘電体層１３ａと、上部誘電体層１３ａを覆う保護膜１４とを備えている。下板は、下部基板２０と、下部基板２０上に形成されたアドレス電極２２と、アドレス電極２２を覆うように下部基板２０上に形成された下部誘電体層１３ｂと、下部誘電体層１３ｂ上に形成された隔壁２３と、下部誘電体層１３ｂ及び隔壁２３上に塗布された蛍光体層２３とを備えている。
スキャン電極１１ａとサステイン電極１２ａそれぞれは、透明電極、例えばインジウムティンオキサイド(Ｉｎｄｉｕｍ−Ｔｉｎ−ＯＸｉｄｅ：ＩＴＯ)で形成される。スキャン電極１１ａ及びサステイン電極１２ａそれぞれには、抵抗を減らすための金属バス電極(１１ｂ、１２ｂ)が形成される。スキャン電極１１ａとサステイン電極１２ａが形成された上部基板１０には、上部誘電体層１３ａと保護膜１４が積層される。上部誘電体層１３ａにはプラズマ放電の時発生された壁電荷が蓄積される。保護膜１４は、プラズマ放電の時発生されたスパッタリングによる上部誘電体層１３ａの損傷を防止することともに２次電子の放出效率を高める。保護膜１４には、通常、酸化マグネシウム(ＭＧＯ)が用いられる。
【０００４】
一方、アドレス電極２２が形成された下部基板２０上には、下部誘電体層１３ｂ、隔壁２１が形成されている。下部誘電体層１３ｂと隔壁２１の表面には蛍光体層２３が塗布されている。アドレス電極２２は、スキャン電極１１ａ及びサステイン電極１２ａと交差される方向に形成される。隔壁２１は、アドレス電極２２と並んで形成され、放電によって生成された紫外線及び可視光が、隣接した放電セルに漏洩することを防止する。蛍光体層２３は、プラズマ放電の時発生される紫外線によって励起され、赤色(Ｒ)、緑色(Ｇ)または青色(Ｂ)の何れか一つの可視光線を発生する。上部基板１０と下部基板２０の間において隔壁２１によって区画されて放電セルが形成されており、放電セルの放電空間には、放電のためのＨｅ＋ＸｅまたはＮｅ＋Ｘｅなどの不活性混合ガスが注入される。このような構造を持つ従来ＰＤＰの駆動方法を図２に示す。
【０００５】
図２は、従来のプラズマディスプレイパネルの駆動方法による波形図である。図２に示すように、従来プラズマディスプレイパネルの駆動方法による波形図は、リセット(Ｒｅｓｅｔ)区間、アドレス(ａｄｄｒｅｓｓｉｎｇ)区間及びサステイン(ｓｕｓｔａｉｎ)区間で成り立つ。リセット区間は、セットアップ(ｓｅｔ−ｕｐ)区間とセッダウン(ｓｅｔ−ｄｏｗｎ)区間から成る。 
【０００６】
セットアップ区間では、スキャン(Ｙ)電極に高圧のランプアップ(Ｒmａp up)パルスが印加されることで、サステイン(Ｚ)電極及びアドレス(Ｘ)電極には正の壁電荷が積もって、スキャン(Ｙ)電極には負の壁電荷が積もる。
【０００７】
セッダウン区間では、スキャン電極（Ｙ）へのランプダウン(Ｒａmp ｄown)パルスの印加によって、高圧のランプアップパルスによって過度に積もった壁電荷が、各セルで均一になるように一定な水準まで消去される。
【０００８】
アドレス区間では、スキャン(Ｙ)電極のスキャンパルスとアドレス(Ｘ)電極のデータパルスとによって、アドレス放電が発生する一方、サステイン(Ｚ)電極はサステイン電圧(Ｖｓ)が維持される。この時、サステイン(Ｚ)電極に印加されるバイアス電圧(Ｖｓ)は、スキャン(Ｙ)電極に印加されるスキャンパルスと共に放電を起こさないような電圧に維持される。 
【０００９】
サステイン区間では、スキャン(Ｙ)電極及びサステイン(Ｚ)電極に交番的にサステインパルスが印加されることでサステイン放電が発生する。
【００１０】
図３は、従来のプラズマ表示パネルの駆動波形による壁電荷の状態を示す。図３の(ａ)は、セットアップ区間で高圧のランプアップパルスによって発生するセットアップ放電で形成される壁電荷の状態を示す。高圧のランプアップパルスによって、スキャン(Ｙ)電極、サステイン(Ｚ)電極及びアドレス(Ｘ)電極上に大量の壁電荷が形成されることが分かる。
【００１１】
図３(ｂ)は、セッダウン区間でランプダウンパルスによる放電過程によって形成された壁電荷の状態を示す。ランプダウンパルスは、過度に積もった壁電荷を一定な水準まで除去し、各セルの壁電荷を均一にする。
【００１２】
図３の(ｃ)は、アドレス区間でスキャンパルス及びデータパルスがそれぞれスキャン(Ｙ)電極及びアドレス(Ｘ)電極に印加された直後の壁電荷の状態を示す。図３（ｃ）の壁電荷の状態は、図３(ｂ)の壁電荷状態と比べると、反転されたことが分かる。 
【００１３】
図３の(ｄ)は、アドレッシン区間の前半期に既にアドレス放電が起きたセルでのアドレス区間の後半期壁電荷状態を示す。図３（ｄ）の壁電荷の状態は、図３の(ｃ)に比べて壁電荷が多く消失していることが分かる。このように、アドレス区間の前半期にアドレス放電によって形成されたセルの壁電荷状態は、アドレス区間の後半期まで維持されなければならないにも関わらず、図３の(ｄ)のように壁電荷が多く消失すると、次につながるサステイン放電が正常に成り立たないこともあるという問題点が発生する。
【００１４】
図３の(ｄ)のようにアドレス放電が既に起きたセルの壁電荷状態を、アドレス区間の後半期まで維持することができずに壁電荷が損失される理由は、次のようである。 
【００１５】
すなわち、プラズマ表示パネルの解像度が高くなるほどアドレス期間が長くなるので、図３の(ｃ)と同様に初期スキャン電極（ライン）のアドレス放電によって形成された壁電荷は、図３の(ｄ)のようにアドレス区間が終わる時点まで、スキャン(Ｙ)電極とサステイン(Ｚ)電極との間に同じ電圧を印加され続ける。このため、時間の経過によって、電荷が自然結合して壁電荷消失が発生する。 
【００１６】
すなわち、アドレス区間が始まる初期のスキャン(Ｙ)電極にはスキャンパルス発生のためのスキャンバイアス電圧(Ｖｓｃ)が印加される。スキャンバイアス電圧(Ｖｓｃ)が高いほど、スキャンバイアス電圧（Ｖｓｃ）は、スキャンが実行される以前に、スキャン(Ｙ)電極上に形成される負の壁電荷を保持する。
【００１７】
しかし、アドレス放電が発生した後には、スキャン(Ｙ)電極上に正の壁電荷が形成されるにもかかわらず、スキャン(Ｙ)電極にはスキャンバイアス電圧(Ｖｓｃ)をそのまま維持するので、スキャンバイアス電圧(Ｖｓｃ)を維持する時間が増加するほどアドレス放電によって形成された正の電荷が喪失するようになる。このような現象は、解像度の増加だけではなく、高温環境で動作によっても、容易に発生する。 
【発明の開示】
【発明が解決しようとする課題】
【００１８】
本発明は、係る従来の問題点を解決するためのもので、その目的は、高解像度または高温駆動の時アドレス放電直後の壁電荷損失を防止して、誤放電なしにサステイン放電が安定的に発生出来るようにするプラズマディスプレイ装置及びその駆動方法を提供する。
【課題を解決するための手段】
【００１９】
本発明によるプラズマディスプレイ装置は、基板に複数のスキャン電極、サステイン電極、アドレス電極が配列されて放電セルが形成されたプラズマディスプレイパネルと、前記スキャン電極、サステイン電極、アドレス電極を駆動するためのそれぞれの電極駆動部とを備え、前記複数のスキャン電極を複数個のスキャン電極グループで分けて、前記駆動部を制御して、前記複数個のスキャン電極グループの中で少なくともある何れか一つのスキャン電極グループのアドレス期間の間に、スキャンバイアス電圧と違う電圧が所定期間の間印加されることを特徴とする。 
【００２０】
本発明によるプラズマディスプレイ装置の駆動方法は、複数個サーブフィールドがリセット期間、アドレス期間、サステイン期間で分けられて、それぞれの期間に複数のスキャン電極サステイン電極、アドレス電極に信号を加えて駆動させる駆動方法であって、前記複数のスキャン電極を複数個のスキャン電極グループに分けて、前記複数個のスキャン電極グループの中で少なくとも何れか一つのスキャン電極グループのアドレス期間の間に、スキャンバイアス電圧と違う電圧を所定期間の間印加させることを特徴とする。
【００２１】
前記スキャンバイアス電圧と違う電圧が印加される所定期間は、前記複数個のスキャン電極グループの中でスキャンが先に成り立つ前半部スキャン電極グループでのアドレス期間の後半部であることを特徴とする。
【００２２】
前記スキャンバイアス電圧と違う電圧は、前記スキャンバイアス電圧より小さく且つスキャンパルス電圧より大きいことを特徴とする。
【００２３】
前記スキャンバイアス電圧と違う電圧は、グラウンドレベルであることを特徴とする。 
【００２４】
前記スキャンバイアス電圧と違う電圧が印加される所定期間は、前記複数個のスキャン電極グループの中でスキャンが後で成り立つ後半部スキャン電極グループでのアドレス期間の前半部であることを特徴とする。
【００２５】
前記スキャンバイアス電圧と違う電圧は、前記スキャンバイアス電圧より高く且つリセット期間に印加されるランプアップパルスの電圧以下であることを特徴とする。
【００２６】
前記スキャンバイアス電圧と違う電圧は、サステイン電圧であることを特徴とする。 
【００２７】
前記スキャンバイアス電圧と違う電圧が印加される所定期間は、前記複数個のスキャン電極グループの中でスキャンが先に成り立つ前半部スキャン電極グループの場合、前記アドレス期間の後半部で、前記複数個のスキャン電極グループの中でスキャンが後で成り立つ後半部スキャン電極グループの場合、前記アドレス期間の前半部であることを特徴とする。
【００２８】
前記複数個のスキャン電極グループは２個であることを特徴とする。 
【００２９】
本発明によるプラズマディスプレイパネルの駆動装置は、基板に複数のスキャン電極、サステイン電極、アドレス電極が配列されて放電セルが形成されたプラズマディスプレイパネルを駆動する駆動装置である。この駆動装置は、前記複数のスキャン電極を複数個のスキャン電極グループで分けて駆動し、前記複数個のスキャン電極グループの中で少なくとも何れか一つのスキャン電極グループのアドレス期間の間に、スキャンバイアス電圧と違う電圧を所定期間の間印加することを特徴とする。
【発明の効果】
【００３０】
このような本発明は、スキャン電極を複数個のグループで分割して互いに違う駆動波形を印加することで、高解像度または高温環境で発生する壁電荷損失を防止することができ、これに従って安定的な放電を成すことができる效果がある。 
【発明を実施するための最良の形態】
【００３１】
以下、本発明の実施例を添付された図面を参照して詳細に説明する。 
【００３２】
図４は、本発明によるプラズマディスプレイ装置を概略的に示す図である。図４に示すように、本発明によるプラズマディスプレイ装置は、プラズマディスプレイパネル１００と、プラズマディスプレイパネル１００の下部基板(未図示)に形成されたアドレス電極(Ｘ１乃至Ｘm)にデータを供給するためのデータ駆動部１２２と、スキャン電極(Ｙ１乃至Ｙn)を駆動するためのスキャン駆動部１２３と、共通電極であるサステイン電極(Ｚ)を駆動するためのサステイン駆動部１２４と、プラズマディスプレイパネル駆動時に、データ駆動部１２２、スキャン駆動部１２３、サステイン駆動部１２４を制御するためのタイミングコントロール部１２１と、それぞれの駆動部(１２２、１２３、１２４)に必要な駆動電圧を供給するための駆動電圧発生部１２５とを含む。
【００３３】
プラズマディスプレイパネル１００は、上部基板(未図示)と下部基板(未図示)が一定な間隔を置いて合着されている。上部基板には、複数の電極、例えばスキャン電極(Ｙ１乃至Ｙn)及びサステイン電極(Ｚ)が対を成して形成されている。下部基板には、スキャン電極(Ｙ１乃至Ｙn)及びサステイン電極(Ｚ)と交差されるようにアドレス電極(Ｘ１乃至Ｘm)が形成されている。
【００３４】
データ駆動部１２２には、図示しない逆ガンマ補正回路、誤差拡散回路等によって逆ガンマ補正及び誤差拡散された後、サーブフィールドマッピング回路によって各サーブフィールドにマッピングされたデータが供給される。このようなデータ駆動部１２２は、タイミングコントロール部１２１からのタイミング制御信号(ＣＴＲＸ)に応答してデータをサンプリングしてラッチした後、そのデータをアドレス電極(Ｘ１乃至Ｘm)に供給する。 
【００３５】
スキャン駆動部１２３は、タイミングコントロール部１２１の制御下に、リセット期間の間、上昇ランプ波形(Ｒａｍｐ−ｕｐ)と下降ランプ波形(Ｒａｍｐ−ｄｏｗｎ)とをスキャン電極(Ｙ１乃至Ｙn)に供給する。また、スキャン駆動部１２３は、タイミングコントローラ１２１の制御下に、アドレス期間の間、スキャン電極(Ｙ１乃至Ｙn)をスキャンバイアス電圧(Ｖｓｃ)で維持させながら、スキャン電圧(−Ｖｙ)のスキャンパルス(Ｓｐ)をスキャン電極(Ｙ１乃至Ｙn)に順に供給する。この時、スキャン駆動部１２３は、プラズマディスプレイパネルに形成された複数のスキャン電極(Ｙ１乃至Ｙn)をスキャン時間の順に基づいて、前半部スキャン電極グループと後半部スキャン電極グループとに分けて駆動させることができるように、第１スキャン駆動部１２３ａと第２スキャン駆動部１２３ｂで分離させることができる。なお、単一のスキャン駆動部１２３の制御によって、スキャン電極を前半部スキャン電極グループと後半部スキャン電極グループとに分けて駆動させることができるようにしても良い。すなわち、第１スキャン駆動部１２３ａは、アドレス期間に、プラズマディスプレイパネル１００の上部にあるスキャン電極グループ(Ｙｔｏｐ)を駆動するようにして、第２スキャン駆動部１２３ｂは、アドレス期間に、プラズマディスプレイパネル１００の下部にあるスキャン電極グループ(ＹＢｏｔｔｏｍ)を駆動するようにする。また、スキャン駆動部１２３は、複数個のグループに分けられたスキャン電極グループの中で何れか一つのスキャン電極グループのアドレス期間の間には、スキャンバイアス電圧と違う電圧を所定期間の間印加させる。この点については、後述する本発明によるプラズマディスプレイ装置の駆動方法で、詳細に説明する事にする。 
【００３６】
サステイン駆動部１２４は、タイミングコントロール部１２１の制御下に、下降ランプ波形(Ｒａｍｐ−ｄｏｗｎ)が発生される期間とアドレス期間の間とにおいて、サステイン電圧(Ｖｓ)のバイアス電圧をサステイン電極(Ｚ)に供給する。また、サステイン期間の間において、サステイン駆動部１２４の内部に備えたサステイン駆動回路が、スキャン駆動部１２３に備えたサステイン駆動回路と交互に動作して、サステインパルス(ｓｕｓ)をサステイン電極(Ｚ)に供給する。
【００３７】
タイミングコントロール部１２１は、垂直/水平同期信号とクロック信号の入力を受けて、リセット期間、アドレス期間、サステイン期間において、各駆動部(１２２、１２３、１２４)の動作タイミングとの同期化を制御するためのタイミング制御信号(ＣＴＲＸ、ＣＴＲＹ、ＣＴＲＺ)を発生して、そのタイミング制御信号(ＣＴＲＸ、ＣＴＲＹ、ＣＴＲＺ)を該当の駆動部(１２２、１２３、１２４)に供給することで各駆動部(１２２、１２３、１２４)を制御する。 
【００３８】
一方、データ制御信号(ＣＴＲＸ)には、データをサンプリングするためのサンプリングクロック、ラッチ制御信号、サステイン駆動回路と駆動スィッチ素子のオン／オフタイムを制御するためのスィッチ制御信号が含まれる。スキャン制御信号(ＣＴＲＹ)には、スキャン駆動部１２３内のサステイン駆動回路と駆動スィッチ素子のオン／オフタイムを制御するためのスィッチ制御信号が含まれている。サステイン制御信号(ＣＴＲＺ)には、サステイン駆動部１２４内のサステイン駆動回路と駆動スィッチ素子のオン／オフタイムを制御するためのスィッチ制御信号が含まれる。 
【００３９】
駆動電圧発生部１２５は、セットアップ電圧(Ｖｓｅｔｕｐ)、スキャン共通電圧(Ｖｓｃａｎ−ｃｏｍ)、スキャン電圧(−Ｖｙ)、サステイン電圧(Ｖｓ)、データ電圧(Ｖｄ)などを発生する。このような駆動電圧は、放電ガスの組成や放電セル構造によって適宜変更可能である。
【００４０】
このような構造を持つ本発明のプラズマディスプレイ装置による駆動方法を図５に示す。
【００４１】
（１）第１の駆動方法
図５は、本発明によるプラズマディスプレイ装置の第１駆動方法を説明するための波形図と壁電荷状態を示す図である。同図に示すように、本発明によるプラズマディスプレイ装置の第１駆動方法は、プラズマディスプレイパネル１００に形成されたスキャン(Ｙ)電極を二つのグループ(Ｇｒｏｕｐ)である前半部スキャン電極(Ｙｔｏｐ)グループと後半部スキャン電極(ＹＢｏｔｔｏｍ)グループとに分けて駆動する。ここで、前半部スキャン電極グループは、プラズマディスプレイパネル１００に形成されたスキャン電極のスキャン手順を基準として、スキャンを先にするグループを意味する。後半部スキャン電極グループは、スキャン手順を基準として、スキャンを後でするグループを意味する。また、図５では、プラズマディスプレイパネル１００に形成されたスキャン電極を二つのグループに分けて駆動しているが、複数個、すなわち二つ以上のスキャン電極グループに分けて駆動させることができる。 
【００４２】
このように二つのグループに分けられた前半部スキャン電極グループと後半部スキャン電極グループとは、アドレス期間に先立つリセット期間に、リセットパルスがそれぞれ同時に印加される。
【００４３】
この後、アドレス期間には、前半部スキャン電極(Ｙｔｏｐ)グループと後半部スキャン電極(ＹＢｏｔｔｏｍ)グループとが互いに異なる駆動波形で駆動される。
すなわち、前半部スキャン電極グループは、アドレス期間の前半部(ｔ２〜ｔ３)ではスキャンバイアス電圧(Ｖｓｃ)が維持されながら、スキャン電圧（−Ｖｙ）のパルスが印加されてアドレス放電が発生し、アドレス期間の後半部(ｔ３〜ｔ４)では、スキャンバイアス電圧(Ｖｓｃ)が維持されないでグラウンドレベルに維持される。ここで、図５に示す様に、スキャンバイアス電圧(Ｖｓｃ)は、グランドレベルを基準として正の電圧である。
なお、図５では、前半部スキャン電極グループは、アドレス期間の後半部に維持される電圧としてグラウンドレベルのみ示しているが、アドレス期間の後半部に前半部スキャン電極グループに維持させる電圧は、スキャンバイアス電圧よりは小さく且つスキャンパルスのためのスキャン電圧より大きい電圧が印加されることができる。言い換えれば、アドレス期間の後半部に前半部スキャン電極グループに維持させる電圧は、スキャン電圧（−Ｖｙ）より大きく且つスキャンバイアス電圧（Ｖｓｃ）より小さい電圧に設定することができる。
【００４４】
ここで、アドレス期間の後半部に前半部スキャン電極グループに維持させる電圧がスキャン電圧(−Ｖｙ)とすると、壁電荷損失をさらに防止することができるが、この場合スキャンパルスと同じ電位になるのでアドレス電極(Ｘ)のデータパルスなしで誤放電が発生する可能性がある。したがって、前半部スキャン電極グループでのアドレス区間中の後半部(ｔ３〜ｔ４)に印加する電圧は、上述したように、スキャンバイアス電圧よりは小さく且つスキャンパルスのためのスキャン電圧よりは大きい電圧になることが望ましい。 
【００４５】
後半部スキャン電極グループは、アドレス期間の前半部(ｔ２〜ｔ３)から後半部(ｔ３〜ｔ４)にかけてスキャンバイアス電圧(Ｖｓｃ)が維持されながら、スキャン電圧（−Ｖｙ）のパルスが印加されてアドレス放電が発生する。
【００４６】
このように、前半部スキャン電極グループが、アドレッシン期間中の後半部(ｔ３〜ｔ４)でスキャンバイアス電圧(Ｖｓｃ)より低いグラウンドレベルに維持されれば、従来駆動波形によって現われた図３の(ｄ)状態とは異なり、壁電荷損失を低減すようになる。すなわち、前半部スキャン電極グループが、アドレス期間中の後半部(ｔ３〜ｔ４)で、スキャンバイアス電圧(Ｖｓｃ)より低いグラウンドレベルに維持されれば、後半部スキャン電極グループに比べてアドレス放電後サステイン放電が起きる前までの期間、時間的な経過によって発生される壁電荷損失を防止することができるようになって、以後サステイン放電を安定的に発生させることができるようになる。
【００４７】
このような駆動方法は、高解像度または高温駆動で壁電荷が容易に損失されることをさらに防止することができるようになる。また、アドレス期間に成り立つスキャン方法において、データ駆動部を２個備えてスキャンするデュアルスキャン方法に比べて、データ駆動部を単一個備えてスキャンするシングルスキャン方法がさらに效果的である。 
【００４８】
（２）第２の駆動方法
図６は、本発明によるプラズマディスプレイ装置の第２駆動方法を説明するための波形図である。同図に示すように、本発明によるプラズマディスプレイ装置の第２駆動方法は、本発明による第１駆動方法と等しい方法でプラズマディスプレイパネル１００に形成されたスキャン(Ｙ)電極を、二つのグループ(Ｇｒｏｕｐ)である前半部スキャン電極(Ｙｔｏｐ)グループと後半部スキャン電極(ＹＢｏｔｔｏｍ)グループとに分けて駆動する。 
【００４９】
このように二つのグループに分けられた前半部スキャン電極グループと後半部スキャン電極グループとは、アドレス期間に先立つリセット期間に、リセットパルスがそれぞれ同時に印加される。  
【００５０】
この後、アドレス期間には、前半部スキャン電極(Ｙｔｏｐ)グループと後半部スキャン電極(ＹＢｏｔｔｏｍ)グループとが異なる駆動波形で駆動される。すなわち、前半部スキャン電極グループは、アドレス期間の前半部(ｔ２〜ｔ３)から後半部(ｔ３〜ｔ４)にかけてスキャンバイアス電圧(Ｖｓｃ)が維持されながら、スキャン電圧のパルスが印加されてアドレス放電が発生する。
【００５１】
後半部スキャン電極グループは、アドレス期間の前半部(ｔ２〜ｔ３)ではサステイン電圧が維持されて、アドレッシン期間の後半部(ｔ３〜ｔ４)では、スキャンバイアス電圧(Ｖｓｃ)が維持されながらスキャン電圧のパルスが印加されてアドレッシン放電が成り立つ。一方、図６では後半部スキャン電極グループは、アドレス期間の前半部に維持される電圧をサステイン電圧としているが、スキャンバイアス電圧(Ｖｓｃ)より高く且つリセット期間に印加されたランプアップパルスのピーク電圧（Ｖramp-up）より低い範囲を持つ電圧が印加されることができる。 
【００５２】
このように、後半部スキャン電極グループが、アドレッシン期間中の前半部(ｔ２〜ｔ３)でスキャンバイアス電圧(Ｖｓｃ)より高いサステイン電圧に維持されれば、アドレス放電が前半部スキャン電極グループに比べて時間的に遅く発生することによって現われる負の壁電荷損失を防止することができるようになる。すなわち、後半部スキャン電極グループは、リセット期間(ｔ０〜ｔ２)で積った負の壁電荷を損失なしに維持することができ、アドレス放電を安定的に発生させることができる。
【００５３】
（３）第３の駆動方法
図７は、本発明によるプラズマディスプレイ装置の第３駆動方法を説明するための波形図である。同図に示すように、本発明によるプラズマディスプレイ装置の第３駆動方法は、本発明による第１及び第２駆動方法と同様の方法でプラズマディスプレイパネル１００に形成されたスキャン(Ｙ)電極を二つのグループ(Ｇｒｏｕｐ)である前半部スキャン電極(Ｙｔｏｐ)グループと後半部スキャン電極(ＹＢｏｔｔｏｍ)グループとに分けて駆動する。 
【００５４】
このように二つのグループに分けられた前半部スキャン電極グループと後半部スキャン電極グループとは、第１ 及び第２駆動方法と同じく、リセット期間にリセットパルスがそれぞれ同時に印加される。  
【００５５】
この後、アドレス期間には、前半部スキャン電極(Ｙｔｏｐ)グループと後半部スキャン電極(ＹＢｏｔｔｏｍ)グループとが異なる駆動波形で駆動される。図示するように、前半部スキャン電極グループは、本発明によるプラズマディスプレイ装置の第１駆動方法によって駆動され、後半部スキャン電極グループは、本発明によるプラズマディスプレイ装置の第２駆動方法によって駆動される。
【００５６】
これによって、前半部スキャン電極グループでは、アドレス放電後正の壁電荷損失を防止することができるようになり、以後サステイン放電を安定的に発生できるようになり、後半部スキャン電極グループでは、リセット期間(ｔ０〜ｔ２)で積もった負の壁電荷損失を防止することができるようになりこの後アドレス放電が安定的に発生するようになる。これにより、駆動時の放電がさらに安定的に成り立つようになる。 
【図面の簡単な説明】
【００５７】
【図１】従来マトリックス形態に配列された放電セル構造を持つ３電極交流面放電型ＰＤＰの構造を示す斜視図。
【図２】従来のプラズマディスプレパネルの駆動方法による波形図。
【図３】従来のプラズマ表示パネルの駆動波形による壁電荷の状態を示す図。
【図４】本発明によるプラズマディスプレ装置を概略的に示す図。
【図５】本発明によるプラズマディスプレ装置の第１駆動方法を説明するための波形図と壁電荷状態を示す図。
【図６】本発明によるプラズマディスプレイ装置の第２駆動方法を説明するための波形図であり、
【図７】本発明によるプラズマディスプレイ装置の第３駆動方法を説明するための波形図である。
【図１】
2005316480.tif 000003
【図２】
2005316480.tif 000004
【図３】
2005316480.tif 000005
【図４】
2005316480.tif 000006
【図５】
2005316480.tif 000007
【図６】
2005316480.tif 000008
【図７】
2005316480.tif 000009